(57)【特許請求の範囲】
【請求項１】
他の装置から信号を受信する複数の入力インターフェースと、
他の装置へ信号を送信する複数の出力インターフェースと、
１チャネルに、前記入力インターフェースの数と同数以上のサブチャネルを設け、前記複数の入力インターフェースによって受信された各信号を各サブチャネルに配置することによって多重化する多重化部と、
前記多重化部によって多重化された信号を、前記複数の出力インターフェース夫々に送信する分配部と、
各信号の送信先を定義したスイッチングテーブルを記憶するテーブル記憶部と
を備え、
前記出力インターフェースは、前記多重化部によって多重化された信号に含まれる各信号から、前記スイッチングテーブルの内容に応じて自身が送信すべき信号を抽出し、前記スイッチングテーブルの内容に応じた転送先へ送信する
ことを特徴とする伝送装置。
【請求項２】
１チャネル分の時間で複数回振幅するクロックを生成するクロック部と、
前記クロック部によって生成されたクロックの振幅回数を、チャネル毎に繰り返し計数するクロックカウンタ部と
を更に備え、
前記多重化部は、前記クロックカウンタ部によるカウンタ結果に応じて、各入力インターフェースによって受信された信号の多重化のタイミングを決定し、
前記出力インターフェースは、前記クロックカウンタ部によるカウンタ結果に応じて、前記多重化された信号がいずれの前記入力インターフェースによって受信された信号であるかを判定し、判定結果及び前記スイッチングテーブルの内容に応じて各信号の転送先を決定する
ことを特徴とする請求項１に記載の伝送装置。
【請求項３】
前記多重化部は、全入力インターフェースによって受信された信号に加えて、他の制御情報をさらに多重化する
ことを特徴とする請求項１又は２に記載の伝送装置。
【請求項４】
他の装置から信号を受信する複数の入力インターフェースと、他の装置へ信号を送信する複数の出力インターフェースと、各信号の送信先を定義したスイッチングテーブルを記憶するテーブル記憶部とを備える伝送装置が行う伝送方法であって、
前記伝送装置が、１チャネルに、前記入力インターフェースの数と同数以上のサブチャネルを設け、前記複数の入力インターフェースによって受信された各信号を各サブチャネルに配置することによって多重化する多重化段階と、
前記伝送装置が、前記多重化段階において多重化された信号を、前記複数の出力インターフェース夫々に送信する分配段階と、
前記伝送装置が、前記複数の出力インターフェースそれぞれにおいて、前記多重化された信号に含まれる各信号から、前記スイッチングテーブルの内容に応じて自身が送信すべき信号を抽出し、前記スイッチングテーブルの内容に応じた転送先へ送信する送信段階と
を含むことを特徴とする伝送方法。
【発明の詳細な説明】
【技術分野】
【０００１】
本発明は、信号のスイッチングを行うための技術に関する。
【背景技術】
【０００２】
従来、ＴＤＭ（Time Division Multiplexing：時分割多重化）通信におけるスイッチングを行うスイッチ（以下、「ＴＳＷ」という。）が提案されている。ＴＳＷでは、入力スロット数と、ＴＳＷ内部で置き換えるスロット数と、出力スロット数との比が、１：１：１であった。すなわち、ＴＤＭ通信の回線を集約するメインモジュールにおいて、ＴＳＷ内部の置き換えスロット及びそれに伴う内部回路の数は、入出力するスロットの数の倍数分用意される必要があった。【０００３】
なお、ＴＳＷに関する関連技術としては、特許文献１と特許文献２に開示された技術がある。特許文献１には、出力多重回路がデータメモリからの出力を順次選択して多重し、出力多重時分割データを出力ハイウェイに出力することで、回路規模を縮小する技術が開示されている。また、特許文献２には、ディジタル交換機において、各回線インターフェース部が必要とする通話チャネル数を表示し、制御部がそれを読み取って多重度変換回路を制御する技術が開示されている。
【先行技術文献】
【特許文献】
【０００４】
【特許文献１】日本国特開２００２−０７７９６０号公報
【特許文献２】日本国特開平１０−０３２８８８号公報
【発明の概要】
【発明が解決しようとする課題】
【０００５】
従来のＴＳＷでは、入出力スロットの数が多くなると、それに伴い内部回路の規模が大きくなってしまうという問題が生じていた。例えば、サポートする入出力スロット数がｎとなれば、メインモジュール内のＴＳＷの内部回路もｎスロット分用意しなければならない。したがって、サポートするスロットの数の増加に伴って、メインモジュールの内部回路は膨大なものとなってしまう。【０００６】
上記事情に鑑み、本発明は、入出力スロットの数が増加した場合に、それに伴うハードウェアの規模の増大を抑止することを可能とする技術を提供することを目的とする。
【課題を解決するための手段】
【０００７】
上記課題を解決するために、本発明の第１の形態によると、伝送装置であって、他の装置から信号を受信する複数の入力インターフェースと、他の装置へ信号を送信する複数の出力インターフェースと、１チャネルに、入力インターフェースの数と同数以上のサブチャネルを設け、複数の入力インターフェースによって受信された各信号を各サブチャネルに配置することによって多重化する多重化部と、多重化部によって多重化された信号を、複数の出力インターフェース夫々に送信する分配部と、各信号の送信先を定義したスイッチングテーブルを記憶するテーブル記憶部とを備え、出力インターフェースは、多重化部によって多重化された信号に含まれる各信号から、スイッチングテーブルの内容に応じて自身が送信すべき信号を抽出し、スイッチングテーブルの内容に応じた転送先へ送信する。
【０００８】
本発明の第２の形態によると、他の装置から信号を受信する複数の入力インターフェースと、他の装置へ信号を送信する複数の出力インターフェースと、各信号の送信先を定義したスイッチングテーブルを記憶するテーブル記憶部とを備える伝送装置が行う伝送方法であって、伝送装置が、１チャネルに、入力インターフェースの数と同数以上のサブチャネルを設け、複数の入力インターフェースによって受信された各信号を各サブチャネルに配置することによって多重化する多重化段階と、伝送装置が、多重化段階において多重化された信号を、複数の出力インターフェース夫々に送信する分配段階と、伝送装置が、複数の出力インターフェースそれぞれにおいて、多重化された信号に含まれる各信号から、スイッチングテーブルの内容に応じて自身が送信すべき信号を抽出し、スイッチングテーブルの内容に応じた転送先へ送信する送信段階とを含む。
【発明の効果】
【０００９】
本発明により、入出力スロットの数が増加した場合に、それに伴うハードウェアの規模の増大を抑止することが可能となる。
【図面の簡単な説明】
【００１０】
【図１】伝送装置の構成を示すブロック図である。
【図２】多重機構の機能構成を示す機能ブロック図である。
【図３】伝送装置におけるスロット番号と多重用逓倍カウンタ値との対応表を示す図である。
【図４】多重機構によって生成されるＴＤＭ多重信号の概略を表す図である。
【図５】出力インターフェースの機能構成を示す機能ブロック図である。
【図６】多重機構によって生成されるＴＤＭ多重信号の変形例の概略を表す図である。
【発明を実施するための形態】
【００１１】
図１は、伝送装置１００の構成を示すブロック図である。伝送装置１００は、複数のＴＤＭ（Time Division Multiplexing）信号の入力を受けスイッチングを行うＴＤＭスイッチである。図１に示すように、実施形態の伝送装置１００は、入力インターフェース（入力ＩＮＦ）１と、メインモジュール２と、出力インターフェース（出力ＩＮＦ）５とを備える。入力インターフェース１、メインモジュール２、及び出力インターフェース５は、それぞれ、クロックマスター２０からＴＤＭ同期用クロックを受信する。
【００１２】
なお、図１には、１つの入力インターフェース１のみ図示されているが、メインモジュール２に入力されるスロット（Ｓｌｏｔ）毎に、入力インターフェース１が設けられる。また、図１には、１つの出力インターフェース５のみ図示されているが、メインモジュール２から出力されるスロット毎に出力インターフェース５が設けられている。すなわち、図１のように入力されるスロットの数がＮである場合には、入力インターフェース１がＮ個設けられ、出力されるスロットの数がＮである場合には、出力インターフェース５がＮ個設けられる。入力インターフェース１及び出力インターフェース５の数は、図１のように同数であっても良いし、異なる数であっても良い。また、以下の説明では、一方向の通信についてのみ説明するが、反対方向の通信についても同様に行われる。
【００１３】
入力インターフェース１は、他の装置や他の回路からＴＤＭ信号を受信する。入力インターフェース１に入力されるＴＤＭ信号の多重数は任意である。ＴＤＭ信号の回線フォーマットは、例えばＥ１回線やＴ１回線である。入力インターフェース１は、Ｍ本のＴＤＭ信号を受信し、受信したＭ本のＴＤＭ信号を時分割多重によって集約する。そして、入力インターフェース１は、生成された信号（以下、「ＴＤＭ集約信号」という。）を、ＴＤＭ同期用クロックに同期させてメインモジュール２へ出力する。
【００１４】
メインモジュール２は、通信方向毎に多重機構３及び分配機構４の組を備える。メインモジュール２は、複数の入力インターフェース１からのスロット毎のＴＤＭ集約信号を受信する。メインモジュール２でサポートするスロット数は任意であり、ここではＮスロットとしている。
【００１５】
メインモジュール２の多重機構３は、入力インターフェース１からスロット毎のＴＤＭ集約信号を受信すると、ＴＤＭ同期用クロックを逓倍した逓倍クロックに基づいて、同一チャネルの全スロット分のＴＤＭ集約信号を多重化したＴＤＭ多重信号を形成する。そして、多重機構３は、形成されたＴＤＭ多重信号を分配機構４に送信する。そのため、多重機構３と分配機構４との間の伝送路のハードウェア構成は、入出力スロット数に拘わらず、ＴＤＭ多重信号を送信するための伝送路のみについて構成されれば良い。すなわち、図１に示されるように、入力スロット数の最大値がＮであり、Ｎスロット分のＴＤＭ集約信号を多重化して送信する場合には、多重機構３と分配機構４との間に設けられる伝送路は、一つの伝送路で構成されればよい。なお、図１では、逆方向の伝送路も設けられているため、メインモジュール２はＴＤＭ多重信号を伝送するための伝送路を計２つ有している。
【００１６】
メインモジュール２の分配機構４は、多重機構３からＴＤＭ多重信号を受信し、受信されたＴＤＭ多重信号をＮ本の各スロットに分配する。従って、分配機構４と各出力インターフェース５との間は、どのスロットでも同じＴＤＭ多重信号が流れる。このように、分配機構４は少なくとも分配部としての機能を持つ。
【００１７】
出力インターフェース５は、分配機構４から分配されたＴＤＭ多重信号を受信する。そして、出力インターフェース５は、テーブル記憶部１４に記憶されるスイッチングテーブルに応じて、受信されたＴＤＭ多重信号から各ＴＤＭ信号を認識し、自身に割り当てられたスロット及びチャネルに対応するＴＤＭ信号を抽出する。そして、出力インターフェース５は、抽出したＴＤＭ信号について、スイッチングテーブルに基づいて、送信させるチャネルに対応するフレーム変換部１３のチャネルバッファを決定し、ＴＤＭ信号を送信する。出力インターフェース５から出力されるＴＤＭ信号の多重数は任意であり、図１ではＭである。
【００１８】
図２は、多重機構３の機能構成を示す機能ブロック図である。多重機構３は、入力のスロット数に応じたＴＤＭ受信部６−１〜６−Ｎ、クロック逓倍部７、逓倍カウンタ８、多重化部９を備える。クロック逓倍部７及び逓倍カウンタ８は、クロックマスター２０から供給されたＴＤＭ同期用クロックを受信する。
【００１９】
クロック逓倍部７は、ＴＤＭ同期用クロックを（ＴＤＭ信号のスイッチング動作に必要な周波数×多重するスロット数）分だけ逓倍する。以下、クロック逓倍部７によって逓倍されたクロックを「多重用逓倍クロック」という。クロック逓倍部７は、多重用逓倍クロックを逓倍カウンタ８へ出力する。このように、クロック逓倍部７は少なくともクロック部としての機能を持つ。
【００２０】
逓倍カウンタ８は、クロック逓倍部７から送られてきた多重用逓倍クロックをループ式にカウントする。具体的には、逓倍カウンタ８は、「１、２、・・・Ｎ、１、２、・・・Ｎ、・・・」と、カウンタの値（以下、「多重用逓倍カウンタ値」という。）を１から増加させ、Ｎ番までカウントした後に再び１へ戻り、カウントを繰り返し実行する。また、逓倍カウンタ８は、ＴＤＭ同期用クロックを受信し、ＴＤＭ同期用クロックの立ち上がり時にカウンタ値を「１」に補正する機能を持っても良い。逓倍カウンタ８は、多重用逓倍カウンタ値をＴＤＭ受信部６−１〜６−Ｎへ出力する。このように、逓倍カウンタ８は少なくともクロックカウンタ部としての機能を持つ。
【００２１】
ＴＤＭ受信部６−１〜６−Ｎは、入力インターフェース１から送られてきたスロット毎のＴＤＭ集約信号を受信する。また、ＴＤＭ受信部６−１〜６−Ｎは、逓倍カウンタ８から多重用逓倍カウンタ値を受信する。ＴＤＭ受信部６−１〜６−Ｎは、逓倍カウンタ８から受信した多重用逓倍カウンタ値を元に、各自のスロット番号のタイミングでのみ、受信されたＴＤＭ集約信号を多重化部９へ送信する。ＴＤＭ受信部６−１〜６−Ｎは、各自のスロット番号のタイミングでない場合には、多重化部９へ何も送信せず、出力信号はオープンとしておく。
【００２２】
多重化部９は、ＴＤＭ受信部６−１〜６−Ｎから順次受信する複数のＴＤＭ集約信号を時間軸に沿って並べることによって同一チャネルに多重化し、ＴＤＭ多重信号を形成する。そして、多重化部９は、ＴＤＭ多重信号を分配機構４へ送信する。なお、多重化部９から分配機構４までの伝送路については、ＴＤＭ多重信号が伝送される伝送路となるため、十分な帯域を確保する必要がある。
【００２３】
図３は、伝送装置１００におけるスロット番号（Ｓｌｏｔ番号）と多重用逓倍カウンタ値（図３では単に「逓倍カウンタ値」と表示する。）との対応表を示す図である。ＴＤＭ受信部６−１〜６−Ｎは、各自に入力された各スロットのＴＤＭ集約信号を、図３に表された対応表の「○」のタイミングが合った場合にのみ、多重化部９へ送信する。
【００２４】
図４は、多重機構３によって生成されるＴＤＭ多重信号の概略を表す図である。図４において、縦軸はスロットの番号を表し、横軸は時間を表す。ＴＤＭ受信部６−１、６−２、…、６−Ｎには、スロット１（Ｓｌｏｔ１）、スロット２（Ｓｌｏｔ２）、…、スロットＮ（ＳｌｏｔＮ）から、各タイミングに応じたチャネルのＴＤＭ集約信号が入力される。例えば、図４の最も左のタイミングでは、各ＴＤＭ受信部６−１〜６−Ｎに対し、各スロット１〜Ｎから、チャネル１（ＣＨ１）のＴＤＭ信号が入力される。そして、各ＴＤＭ受信部６−１〜６−Ｎは、多重用逓倍カウンタ値に応じて、各スロットから入力されたＴＤＭ集約信号を所定のタイミングで多重化部９に出力する。
【００２５】
多重化部９は、各ＴＤＭ受信部６−１〜６−Ｎから出力される順に従って、各ＴＤＭ受信部６−１〜６−Ｎから出力されるＴＤＭ集約信号を同一チャネルに時間方向に多重化する。このような多重化部９の動作によって、複数のＴＤＭ集約信号が多重化されたＴＤＭ多重信号が生成される。例えば、スロット１〜スロットＮのそれぞれから入力されたチャネル１の各ＴＤＭ集約信号が多重化部９によって多重化され、ＴＤＭ多重信号が生成される。ＴＤＭ多重信号の１つのチャネルの時間幅は、多重化される前の各ＴＤＭ集約信号のチャネルの時間幅と同じである。言い換えれば、多重化部９は、（チャネル数／スロット数）の数に応じたサブチャネルＳＣＨを各チャネルに設け、各サブチャネルに対してＴＤＭ集約信号を割り当てる。そのため、各ＴＤＭ受信部６−１〜６−Ｎに入力される各ＴＤＭ集約信号に比べて、ＴＤＭ多重信号に多重化されている各ＴＤＭ集約信号の時間幅（各サブチャネルの時間幅）は小さくなっており、具体的にはほぼ１／Ｎとなっている。隣接するサブチャネルＳＣＨ同士の間の隔は、隙間が生じないように設定されても良いし、所定の幅が設けられても良い。
【００２６】
多重用逓倍カウンタ値が“１”の場合には、ＴＤＭ受信部６−１からスロット１のＴＤＭ集約信号が多重化部９に入力される。多重化部９は、このＴＤＭ集約信号を、サブチャネルＳＣＨ１に配置する。多重用逓倍カウンタ値が“２”の場合には、ＴＤＭ受信部６−２からスロット２のＴＤＭ集約信号が多重化部９に入力される。多重化部９は、このＴＤＭ集約信号を、サブチャネルＳＣＨ２に配置する。以下、多重用逓倍カウンタ値が１サイクル分進行するまで、これらの処理が繰り返されることによって、ＴＤＭ多重信号が生成される。そして、多重用逓倍カウンタ値が“Ｎ”の場合には、ＴＤＭ受信部６−ＮからスロットＮのＴＤＭ集約信号が多重化部９に入力される。多重化部９は、このＴＤＭ集約信号をサブチャネルＳＣＨＮに配置し、１チャネル分のＴＤＭ多重信号が生成される。
【００２７】
なお、多重化部９は、ＴＤＭ受信部６から出力されたＴＤＭ集約信号を多重化して分配機構４へ出力させており、この時、多重化部９からの伝送路はＴＤＭ集約信号が多重されているため、十分な帯域を確保する必要がある。また、ここでは、例としてＥ１回線の多重フレーム形式を示しているため、チャネル数は３２であるが、Ｔ１回線の場合には、チャネル数は２４となる。
【００２８】
図５は、出力インターフェース５の機能構成を示す機能ブロック図である。出力インターフェース５は、クロック逓倍部１０、逓倍カウンタ１１、抽出部１２、出力のＴＤＭ信号数に応じたフレーム変換部１３−１〜１３−Ｍ及びＴＤＭ送信部１５−１〜１５−Ｍ、テーブル記憶部１４を備える。クロック逓倍部１０、逓倍カウンタ１１、抽出部１２、フレーム変換部１３−１〜１３−Ｍは、クロックマスター２０から供給されたＴＤＭ同期用クロックをそれぞれ受信する。
【００２９】
クロック逓倍部１０は、ＴＤＭ同期用クロックを（ＴＤＭ信号のスイッチング動作に必要な周波数×多重するスロット数）分だけ逓倍する。以下、クロック逓倍部１０によって逓倍されたクロックを「分配用逓倍クロック」という。クロック逓倍部７は、分配用逓倍クロックを逓倍カウンタ１１へ出力する。
【００３０】
逓倍カウンタ１１は、クロック逓倍部１０から送られてきた分配用逓倍クロックをループ式にカウントする。具体的には、逓倍カウンタ１１は、「１、２、・・・Ｎ、１、２、・・・Ｎ、・・・」と、カウンタの値（以下、「分配用逓倍カウンタ値」という。）を１から増加させ、Ｎ番までカウントした後に再び１へ戻り、カウントを繰り返し実行する。また、逓倍カウンタ１１は、ＴＤＭ同期用クロックを受信し、ＴＤＭ同期用クロックの立ち上がり時にカウンタ値を「１」に補正する機能を持っても良い。逓倍カウンタ１１は、分配用逓倍カウンタ値を抽出部１２へ出力する。
【００３１】
テーブル記憶部１４は、スイッチングテーブルを記憶する。テーブル記憶部１４が記憶するスイッチングテーブルの内容は、抽出部１２によって読み出される。スイッチングテーブルとは、各入力側のスロットから入力されるＴＤＭ集約信号に関するスイッチング情報である。具体的には、スイッチングテーブルは、例えばスロットの番号及びチャネルの番号と、フレーム変換部１３とを対応付けて有するテーブルである。なお、各スロットの出力インターフェース５が備えるテーブル記憶部１４は、自スロットに対応する情報のみを有するように構成される。例えば、スロット１に接続された出力インターフェース５のテーブル記憶部１４は、スロット１（Ｓｌｏｔ１）に関する情報のみを記憶する。
【００３２】
抽出部１２は、多重機構３から分配機構４を経由して送信されたＴＤＭ多重信号を受信し、多重化されていたＴＤＭ集約信号のうち、自身のスロットに対応したＴＤＭ集約信号のみを抽出する。抽出部１２は、抽出したＴＤＭ集約信号について、集約を解くことによってＭ本のＴＤＭ信号を生成する。そして、抽出部１２は、Ｍ本の各ＴＤＭ信号を、対応するフレーム変換部１３−１〜１３−Ｍに対して出力する。
【００３３】
具体的には、抽出部１２は、予めテーブル記憶部１４に記憶されているスイッチングテーブルの内容を読み出しておく。抽出部１２は、逓倍カウンタ１１から分配用逓倍カウンタ値を受信し、受信された分配用逓倍カウンタ値に基づいて、同じタイミングで多重機構３から受信したＴＤＭ多重信号のサブチャネルＳＣＨに含まれるＴＤＭ集約信号のスロットの番号を判定する。また、抽出部１２は、クロックマスター２０からＴＤＭ同期用クロックを受信し、受信されたＴＤＭ同期用クロックに基づいて、同じタイミングで多重機構３から受信したＴＤＭ多重信号のチャネルの番号を判定する。チャネルの番号の判定は、具体的には、ＴＤＭ同期用クロックが抽出部１２によって受信されたタイミングから、ＴＤＭ多重信号が受信されたタイミングまでの間に経過した時間（秒数）に基づいて行われる。抽出部１２は、判定結果であるスロットの番号及びチャネルの番号をテーブル記憶部１４のスイッチングテーブルと比較し、送信させるチャネルに対応するフレーム変換部１３を判断する。そして、抽出部１２は、判断結果に応じたフレーム変換部１３のチャネルバッファに対して、抽出されたＴＤＭ信号を送信する。
【００３４】
フレーム変換部１３−１〜１３−Ｍは、出力側のＴＤＭ信号数に応じて設けられる。フレーム変換部１３−１〜１３−Ｍは、出力するＴＤＭ信号を記憶するためのバッファ（チャネルバッファ）を少なくとも１段備える。フレーム変換部１３−１〜１３−Ｍは、抽出部１２からＴＤＭ信号を受信し、チャネルバッファに一時的に蓄積する。そして、フレーム変換部１３−１〜１３−Ｍは、ＴＤＭ同期用クロックに合わせて、自身に対応するＴＤＭ送信部１５−１〜１５−Ｍに対し、チャネルバッファに蓄積されているＴＤＭ信号を送信する。フレーム変換部１３−１〜１３−Ｍに受信される時点では、各ＴＤＭ信号の時間幅はサブチャネルＳＣＨ分の時間幅をさらに１／Ｍにした時間幅（１チャネル／（Ｎ×Ｍ）分の時間幅）である。しかし、フレーム変換部１３−１〜１３−Ｍから送信される時点では、フレーム変換部１３−１〜１３−Ｍによって、各ＴＤＭ信号の時間幅は１チャネル分の時間幅に変換される。
ＴＤＭ送信部１５−１〜１５−Ｍは、それぞれに対応するフレーム変換部１３−１〜１３−ＭからＴＤＭ信号を受信し、対応する装置にＴＤＭ信号を送信する。
【００３５】
伝送装置１００によれば、複数のスロットのＴＤＭ集約信号を同一のチャネル内にサブチャネルとして多重化して、抽出部１２へ入力する。そして、各サブチャネルに多重化されたＴＤＭ集約信号を抽出部１２が抽出して、集約を解き、対応するフレーム変換部１３から送信する。そのため、スロット数が増大した場合であっても、それに応じた回路規模の増大を抑止することができる。すなわち、従来は、入力スロット数、ＴＳＷ内部の置き換えスロット数、出力スロット数の比が１：１：１であったのに対し、伝送装置１００では、入出力スロット数がｎに増えた場合にｎ：１：ｎの比を実現することが可能となる。
【００３６】
また、このように構成されることによって、メインモジュール２の回路規模を従来に比べて格段に小さくすることが可能となる。さらに、要求されるスロット数に応じて、メインモジュール２のハードウェアを変更することなく、入力インターフェース１及び出力インターフェース５の数を変更（追加又は削除）することによって対応することができる。そのため、メインモジュール２に予め不必要に多いスロット数に対応するためのハードウェアを設ける必要が無く、ニーズに応じたスロット数の伝送装置１００を低価格で提供することが可能となる。
【００３７】
＜変形例＞
入力インターフェース１に入力される信号及び出力インターフェース５から出力される信号は、上記の実施例ではＴＤＭ信号であったが、ＴＤＭ信号に限定される必要はなく、他の信号であっても良い。ただしその場合は、入力インターフェース１及び出力インターフェース５に対するＴＤＭ同期用クロックの入力は適宜省略されても良い。
【００３８】
また、上記の実施例では、多重機構３はＮスロット分のＴＤＭ集約信号を一つのチャネルに多重化したが、Ｎよりも少ない複数のチャネルに多重化するように構成されても良い。例えば、多重機構３は、Ｎ／２スロット分のＴＤＭ集約信号を一つのチャネルに多重化し、多重機構３と分配機構４との間にＴＤＭ多重信号の伝送路を２つ設けるように構成されても良い。この場合、多重機構３の多重化部９は２つ設けられる。そして、例えばスロット１〜スロット（Ｎ／２）のＴＤＭ集約信号が一方の多重化部９に入力され、残るスロットのＴＤＭ集約信号が他方の多重化部９に入力される。分配機構４においても、それぞれのＴＤＭ多重信号を受ける２つの受信部が設けられ、それぞれが対応する出力インターフェース５に対してＴＤＭ多重信号を送信する。
【００３９】
また、ＴＤＭ多重信号には、スロット数よりも多いサブチャネルＳＣＨが設けられても良い。図６は、多重機構３によって生成されるＴＤＭ多重信号の変形例の概略を表す図である。図６に示されるＴＤＭ多重信号では、入力側及び出力側のスロット数がＮである場合に、１つのチャネルに対するサブチャネルＳＣＨの数はＮ＋１となっている。そのため、ＴＤＭ多重信号のサブチャネルＳＣＨ（Ｎ＋１）には、スロットから入力されたＴＤＭ信号とは異なる他の情報を表す信号を配置することができる。そのため、変形例における多重化部９は、サブチャネルＳＣＨ（Ｎ＋１）に対し、回線やネットワークの状態を表す情報や、障害の発生に関する情報や、その他の所定の情報を配置する。この場合、出力インターフェース５の抽出部１２は、サブチャネルＳＣＨ（Ｎ＋１）から情報を抽出すると、予め定められた出力先へ、抽出された情報を送信する。
【００４０】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００４１】
本発明は、複数の入力インターフェース及び複数の出力インターフェースを備えた伝送装置に適用できる。
【符号の説明】
【００４２】
１…入力インターフェース，  ２…メインモジュール，  ３…多重機構，  ４…分配機構，  ５…出力インターフェース，  ６−１〜６−Ｎ…ＴＤＭ受信部，  ７…クロック逓倍部（クロック部），  ８…逓倍カウンタ，  ９…多重化部，  １０…クロック逓倍部（クロック部），  １１…逓倍カウンタ（クロックカウンタ部），  １２…抽出部，  １３−１〜１３−Ｎ…フレーム変換部，  １４…テーブル記憶部，  １５…ＴＤＭ送信部，  ２０…クロックマスター
【図１】
0005510538.tif 000002
【図２】
0005510538.tif 000003
【図３】
0005510538.tif 000004
【図４】
0005510538.tif 000005
【図５】
0005510538.tif 000006
【図６】
0005510538.tif 000007